(57)【特許請求の範囲】
【請求項１】
合焦部と変倍部を含むレンズ群と、該レンズ群の像面側に互いに所定の空気間隔を隔てて配された、リレーレンズ前群とリレーレンズ後群よりなる、結像機能を有するリレーレンズ群と、該リレーレンズ前群と該リレーレンズ後群の間に挿入自在とされた焦点距離を望遠側へシフトさせる焦点距離変換レンズ群により構成されるズームレンズにおいて、
前記焦点距離変換レンズ群を、１枚の負の屈折力を有するレンズを備えた正の屈折力の変換レンズ前群と、１枚の正の屈折力を有するレンズを備えた負の屈折力の変換レンズ後群から構成し、該変換レンズ前群中における負の屈折力を有するレンズの屈折率の温度係数をＰ１、該変換レンズ後群中における正の屈折力を有するレンズの屈折率の温度係数をＰ２としたとき、下記条件式（１）、（２）を満足するとともに、
前記変換レンズ前群は正の屈折力を有する２つの単レンズを備え、該２つの単レンズのいずれもが、下記条件式（３）を満足することを特徴とする温度変化補正機能付ズームレンズ。
Ｐ１＜３．０    ・・・  （１）
Ｐ２＞１２．０  ・・・  （２）
ν１≧８０  ・・・  （３）
ただし、
Ｐ１、Ｐ２は光の波長をｅ線としたときのｄｎ／ｄｔ  ｒｅｌａｔｉｖｅ（×１０−６／℃）
ν１は、前記変換レンズ前群における正の屈折力を有する単レンズのアッベ数
【請求項２】
前記変換レンズ前群は、物体側から順に、物体側に強い曲率の面を向けた２枚の両凸レンズ、および物体側に強い曲率の面を向けた両凸レンズと像面側に強い曲率の面を向けた両凹レンズとの貼合わせレンズからなり、前記変換レンズ後群は、物体側から順に配された、像面側に強い曲率の面を向けた両凹レンズと、物体側に凸面を向けた正のメニスカスレンズとの貼合わせレンズからなることを特徴とする請求項１記載の温度変化補正機能付ズームレンズ。
【発明の詳細な説明】
【０００１】
【発明の属する技術分野】
本発明は、テレビカメラ、ビデオカメラ等に好適なズームレンズに関し、特に焦点距離を望遠側へシフトする焦点距離変換レンズを内蔵した温度変化補正機能付ズームレンズに関するものである。
【０００２】
【従来の技術】
従来よりテレビカメラ等のズームレンズとして、種々の環境条件下、特に広範な温度条件下においても焦点位置の移動をできるだけ小さくするように設計されたものが知られている。すなわち、温度変化によって生じる焦点位置の移動による性能の低下を抑止するために、取り付け部材等の膨張係数を選定することにより、このレンズの温度変化によって生じる焦点位置の移動とは逆方向にレンズ等を移動させ、全体として焦点位置の移動を相殺する技術等がよく知られている。
【０００３】
【発明が解決しようとする課題】
ところで、ＴＶ用ズームレンズにおいて遠距離にある被写体を拡大して撮影する場合に、ズーム比を高め望遠側の焦点距離を長くすることによってこれに対応することも勿論可能であるが、これよりも容易に対応し得る手法として、焦点距離を望遠側へシフトさせる焦点距離変換レンズ群（ＥＸＴ群；以下ＥＸＴ群と称する）をレンズ系の途中に出し入れ可能とした構成とすることで、焦点距離を容易に変化させ得る技術が知られている。
【０００４】
このようなレンズ系においては、通常、常温状態で最良の性能となるよう調節されており、ＥＸＴ群が内蔵されたズームレンズにおいても、ＥＸＴ群が挿入されない場合のレンズ系（×１）の焦点位置と、ＥＸＴ群が挿入された場合のレンズ系（×２）の焦点位置が常温状態で合致するように調節されている。
【０００５】
しかし、使用環境状態が常温から変化した場合には、前述したように、レンズを構成するガラス材料が有する固有の線膨張係数に応じて、レンズの曲率半径やレンズの面間隔が変化し、屈折率の温度係数の変化に応じて屈折率が変化する。また、レンズを保持する部材を構成する金属も線膨張の影響でレンズ間の面間隔を変化させる。このために常温状態で調節されていた焦点位置が温度変化によりずれを生じ、ＥＸＴ群が挿入されない場合のレンズ系と、ＥＸＴ群が挿入された場合のレンズ系とで焦点位置に差が生じる。
ズームレンズは撮影距離の違いによる焦点位置の合焦を合焦部（図１の第１群；いわゆるフォーカスレンズ部）の可動で行うことが一般的である。
【０００６】
温度変化によって生じる焦点位置の移動の補正は、このフォーカスレンズ部を可動させることによって行うことができるが、ＥＸＴ群が挿入されない場合のレンズ系で焦点調節をしておいても、ＥＸＴ群が挿入された場合のレンズ系では再度焦点位置を調節する必要がある。しかも広角側では、レンズ構成上この補正方式による焦点位置の移動は極僅かであり、このような温度変化によって生じる全移動量を補正することは困難である。また、図１に示す如き第５群を可動させてこの焦点位置を調節することも可能であるが、これによってもＥＸＴ群が挿入されない場合のレンズ系とＥＸＴ群が挿入された場合のレンズ系との焦点位置のずれを除去することは困難である。
【０００７】
したがって広角側では、温度が変化しても、ＥＸＴ群が挿入されない場合のレンズ系と、ＥＸＴ群が挿入された場合のレンズ系との間で焦点位置が極力移動しないように設計することが性能を維持するためには必要となる。
【０００８】
図７は上述した温度変化に伴う焦点位置の変動によりＭＴＦ値が変化する様子を示したものである。すなわち、常温状態では実線のグラフで示されるように、ＥＸＴ群が挿入されない場合のレンズ系（×１）の焦点位置と、ＥＸＴ群が挿入された場合のレンズ系（×２）の焦点位置が合致するように設定されている場合、常温状態からの温度変化に伴って、破線のグラフで示されるようにＥＸＴ群が挿入された場合のレンズ系（×２）の焦点位置が移動し、ＥＸＴ群が挿入されない場合のレンズ系（×１）の焦点位置からずれてしまい、この結果ＥＸＴ群が挿入された場合のレンズ系（×２）では、ＥＸＴ群が挿入されない場合のレンズ系（×１）の焦点位置（像面位置）におけるＭＴＦの値が低下することになる。
【０００９】
本発明は、上記事情に鑑みなされたものでＥＸＴ群が挿入されない場合のレンズ系と、ＥＸＴ群が挿入された場合のレンズ系とで、温度変化によって生じる焦点位置の移動量の差を小さくすることができる温度変化補正機能付ズームレンズを提供することを目的とするものである。
さらに本発明は、上記目的に加え、ＥＸＴ群の色収差の増大を抑えることで高い光学性能を有する温度変化補正機能付ズームレンズを提供することも目的とするものである。
【００１０】
【課題を解決するための手段】
本発明の温度変化補正機能付ズームレンズは、
合焦部と変倍部を含むレンズ群と、該レンズ群の像面側に互いに所定の空気間隔を隔てて配された、リレーレンズ前群とリレーレンズ後群よりなる、結像機能を有するリレーレンズ群と、該リレーレンズ前群と該リレーレンズ後群の間に挿入自在とされた焦点距離を望遠側へシフトさせる焦点距離変換レンズ群により構成されるズームレンズにおいて、
前記焦点距離変換レンズ群を、１枚の負の屈折力を有するレンズを備えた正の屈折力の変換レンズ前群と、１枚の正の屈折力を有するレンズを備えた負の屈折力の変換レンズ後群から構成し、該変換レンズ前群中における負の屈折力を有するレンズの屈折率の温度係数をＰ１、該変換レンズ後群中における正の屈折力を有するレンズの屈折率の温度係数をＰ２としたとき、下記条件式（１）、（２）を満足するとともに、
前記変換レンズ前群は正の屈折力を有する２つの単レンズを備え、該２つの単レンズのいずれもが、下記条件式（３）を満足することを特徴とするものである。
Ｐ１＜３．０    ・・・  （１）
Ｐ２＞１２．０  ・・・  （２）
ν１≧８０  ・・・  （３）
ただし、
Ｐ１、Ｐ２は光の波長をｅ線としたときのｄｎ／ｄｔ  ｒｅｌａｔｉｖｅ（×１０−６／℃）
ν１は、前記変換レンズ前群における正の屈折力を有する単レンズのアッベ数
【００１１】
また、前記変換レンズ前群は、物体側から順に、物体側に強い曲率の面を向けた２枚の両凸レンズ、および物体側に強い曲率の面を向けた両凸レンズと像面側に強い曲率の面を向けた両凹レンズとの貼合わせレンズからなり、前記変換レンズ後群は、物体側から順に配された、像面側に強い曲率の面を向けた両凹レンズと、物体側に凸面を向けた正のメニスカスレンズとの貼合わせレンズからなることが好ましい。
【００１２】
【発明の実施の形態】
以下、本発明の実施形態について図面を用いて説明する。
〈実施例１〉
図１は実施例１に係る温度補償機能付きズームレンズの、ＥＸＴ群が挿入されない場合のレンズ系を示すレンズ構成図であり、図２は図１に示される第１群および第２群を拡大して示すレンズ構成図であり、図３は図１に示される第３群、第４群および第５群を拡大して示すレンズ構成図である。
【００１３】
この実施例１の温度補正機能付きズームレンズは、物体側より順に、４枚のレンズL1〜L4からなるフォーカス機能を有する正の第１群と、変倍機能を有する、４枚のレンズL5〜L8からなる負の第２群および２枚のレンズL9,L10からなる負の第３群と、４枚のレンズL11〜L14を有する正のリレーレンズ前群からなる第４群と、７枚のレンズL15〜L21を有する正のリレーレンズ後群からなる第５群を配設し、変倍時において第２群と第３群のレンズ群間隔を変化させながら両レンズ群を光軸Ｘに沿って移動せしめることにより全系の焦点距離ｆを変化させるとともに、光束を結像面１上の結像位置に効率良く集束させるようにしたズームレンズである。
また、このズームレンズは第３群と第４群の間にシャッタ（絞り）２を配置している。
【００１４】
一方、図４は実施例１に係る温度補償機能付きズームレンズの、ＥＸＴ群が挿入された場合のレンズ系を示すレンズ構成図であり、図５は図４に示される第３群、第４群、第５群およびＥＸＴ群を拡大して示すレンズ構成図である。
図４および図５において、第１群〜第５群は上記ＥＸＴ群が挿入されない場合のレンズ系と同じ構成とされているが、ＥＸＴ群が挿入されない場合のレンズ系と比べて、間隔を大きくあけた第４群と第５群との間に６枚構成のＥＸＴ群L22〜L27が挿入されていることが相違する。
【００１５】
このＥＸＴ群L22〜L27は、物体側から、４枚のＥＸＴ前群L22〜L25と２枚のＥＸＴ後群L26〜L27からなる、焦点距離を望遠側にシフトさせるための焦点距離変換レンズ群である。
【００１６】
ここで、ＥＸＴ前群L22〜L25は、物体側に強い曲率の面を向けた２枚の両凸レンズL22,L23、および物体側に強い曲率の面を向けた両凸レンズL24と像面側に強い曲率の面を向けた両凹レンズL25との貼合わせレンズからなる。また、ＥＸＴ後群L26〜L27は、像面側に強い曲率の面を向けた両凹レンズL26と、物体側に凸面を向けた正のメニスカスレンズL27との貼合わせレンズからなる。
さらに、本実施例の温度補償機能付きレンズは以下の条件式（１）、（２）、（３）を満足するように設定されている。
【００１７】
すなわち、上記ＥＸＴ前群L22〜L25中で負の屈折力を有するレンズL25の屈折率の温度係数をＰ１、ＥＸＴ後群L26〜L27中で正の屈折力を有するレンズL27の屈折率の温度係数をＰ２としたとき、
Ｐ１＜3.0・・・（１）
Ｐ２＞12.0・・・（２）
（但し、Ｐ１、Ｐ２は光の波長をｅ線としたときのdn/dt relative（×10-6/℃））
なる、条件式（１）、（２）を満足するとともに、
ＥＸＴ前群L22〜L25において正の屈折力を有する単レンズL22、L23のアッベ数をν１としたとき、
ν１≧80・・・（３）
なる条件式を満足する。
【００１８】
このように、本実施形態によるズームレンズにおいては、ＥＸＴ前群L22〜L25中で負の屈折力を有するレンズL25の屈折率の温度係数Ｐ１と、ＥＸＴ後群L26〜L27中で正の屈折力を有するレンズL27の屈折率の温度係数Ｐ２を所定の範囲に設定するようにしており、これにより、温度変化に伴いＥＸＴ群L22〜L27内で発生する焦点位置の変動を抑制するようにしている。
【００１９】
すなわち、温度がプラス方向に変化した時の基準位置からの焦点位置の変化方向は、焦点距離を求める下式（４）から明らかなように、屈折率の温度係数がプラスの時（ｎが大きくなるように変化する）、正レンズではマイナス方向へ変化（ｆの値が小さくなる方向に変化）し、また負レンズではプラス方向へ変化（ｆの値が大きくなる方向に変化）する。なお、ｒ１およびｒ２は当該レンズの各面の曲率半径を表す。
ｆ＝１／｛（ｎ−１）（１／ｒ１−１／ｒ２）｝……（４）
したがって、温度変化がプラスで、屈折率の温度係数がプラスの時の焦点位置は、負レンズL25についてはプラスの方向へ移動し、正レンズL27についてはマイナスの方向へ移動することとなる。
【００２０】
よって、屈折率の温度係数を負レンズL25は小さいものを、正レンズL27は大きいものにすることで、ＥＸＴ群内で発生する焦点位置の移動を全体として０に近づけることにより、×１と×２との温度変動による焦点位置の移動量の差を抑えることができる。
【００２１】
硝材によっては同一屈折率、アッベ数でも屈折率の温度係数が異なるものがある。例えば、ｎd=1.805、νd=25.4の場合dn/dtが11.4と1.8の２種類の硝材がある。これはＰｂおよびＡｓを含有するガラスと含有しないガラスの違いによるものである。この温度係数の異なる硝材を正レンズおよび負レンズにそれぞれ利用することにより温度変動による焦点位置の移動を抑える。
【００２２】
なお、同一屈折率、同一アッベ数のガラス材料においては屈折率の温度係数が異なっても線膨張係数はほぼ同値であるため、これによる影響の差は無視することができる。
また、レンズL22、L23はＥＸＴ群全体についての色収差の発生を抑制するため、アッベ数が８０以上に設定されている。
【００２３】
このように設定することで、ＥＸＴ群が挿入された場合のレンズ系においても色収差の発生を抑制することができる。
本実施例１によれば、上述した如く各レンズの構成と上記条件式を満足させることにより、第４群と第５群の間にＥＸＴ群を挿入しない場合（×１）と挿入した場合（×２）とで温度変化に伴う焦点位置の変動を抑制することができる。
【００２４】
次に、この実施例１にかかるズームレンズについてＥＸＴ群を挿入しない場合および挿入した場合における、各レンズ面の曲率半径Ｒ（ｍｍ）、各レンズの中心厚および各レンズ間の空気間隔（以下、これらを総称して軸上面間隔という）Ｄ（ｍｍ）、各レンズのｅ線における、屈折率Ｎおよびアッベ数νの値を表１および表２に示す。
なお表中の数字は物体側からの順番を表すものである。
【００２５】
【表１】
0003862117.tif 000002
【００２６】
【表２】
0003862117.tif 000003
【００２７】
また、本実施例１における、各レンズを構成するガラス材料の屈折率の温度係数および線膨張係数を表３に示す。なお、レンズ鏡胴部材はアルミニウムで形成されており、その線膨張係数は230×10-7/℃である（後述する他の実施例についても同じ）。
【００２８】
【表３】
0003862117.tif 000004
【００２９】
上記表３に示すように、ＥＸＴ前群の負レンズL25の屈折率の温度係数を1.8×10-6/℃に設定し、ＥＸＴ後群の正レンズL27の屈折率の温度係数を13.6×10-6/℃に設定している。これにより、下記表４に示すように、広角端における１倍時（ＥＸＴ群が挿入されない場合）の温度変化による焦点位置移動量Δ１が0.3μm/℃であるのに対し、広角端における２倍時（ＥＸＴ群が挿入された場合）の温度変化による焦点位置移動量Δ２を2.9μm/℃とすることができ、これら１倍時と２倍時における焦点位置移動量の差を小さな値とすることができる。
【００３０】
【表４】
0003862117.tif 000005
【００３１】
〈実施例２〉
次に、実施例２にかかるズームレンズのＥＸＴ群における、各レンズ面の曲率半径Ｒ（ｍｍ）、各レンズの中心厚および各レンズ間の空気間隔（以下、これらを総称して軸上面間隔という）Ｄ（ｍｍ）、各レンズのｅ線における、屈折率Ｎおよびアッベ数νの値を表５に示す。なお、第１群から第５群におけるレンズ構成は上記実施例１のものと同じであり、作用効果も実施例１のものと略同様となっている。
なお表中の数字は物体側からの順番を表すものである。
【００３２】
【表５】
0003862117.tif 000006
【００３３】
また、本実施例２のＥＸＴ群における、各レンズを構成するガラス材料の屈折率の温度係数および線膨張係数を表６に示す。
【００３４】
【表６】
0003862117.tif 000007
【００３５】
上記表６に示すように、ＥＸＴ前群の負レンズL25の屈折率の温度係数を11.4×10-6/℃に設定し、ＥＸＴ後群の正レンズL27の屈折率の温度係数を13.6×10-6/℃に設定している。これにより、下記表７に示すように、広角端における１倍時（ＥＸＴ群が挿入されない場合）の温度変化による焦点位置移動量Δ１が0.3μm/℃であるのに対し、広角端における２倍時（ＥＸＴ群が挿入された場合）の温度変化による焦点位置移動量Δ２を4.7μm/℃とすることができ、これら１倍時と２倍時における焦点位置移動量の差を、上記実施例１よりは大きいものの比較的小さな値とすることができる。
【００３６】
【表７】
0003862117.tif 000008
【００３７】
〈実施例３〉
次に、実施例３にかかるズームレンズのＥＸＴ群における、各レンズ面の曲率半径Ｒ（ｍｍ）、各レンズの中心厚および各レンズ間の空気間隔（以下、これらを総称して軸上面間隔という）Ｄ（ｍｍ）、各レンズのｅ線における、屈折率Ｎおよびアッベ数νの値を表８に示す。なお、第１群から第５群におけるレンズ構成は上記実施例１のものと同じであり、作用効果も実施例１のものと略同様となている。
なお表中の数字は物体側からの順番を表すものである。
【００３８】
【表８】
0003862117.tif 000009
【００３９】
また、本実施例３のＥＸＴ群における、各レンズを構成するガラス材料の屈折率の温度係数および線膨張係数を表９に示す。
【００４０】
【表９】
0003862117.tif 000010
【００４１】
上記表９に示すように、ＥＸＴ前群の負レンズL25の屈折率の温度係数を11.4×10-6/℃に設定し、ＥＸＴ後群の正レンズL27の屈折率の温度係数を1.9×10-6/℃に設定している。これにより、下記表１０に示すように、広角端における１倍時（ＥＸＴ群が挿入されない場合）の温度変化による焦点位置移動量Δ１が0.3μm/℃であるのに対し、広角端における２倍時（ＥＸＴ群が挿入された場合）の温度変化による焦点位置移動量Δ２を5.6μm/℃とすることができ、これら１倍時と２倍時における焦点位置移動量の差を、上記実施例１よりは大きいものの比較的小さな値とすることができる。
【００４２】
【表１０】
0003862117.tif 000011
【００４３】
〈比較例〉
次に、比較例にかかるズームレンズのＥＸＴ群における、各レンズ面の曲率半径Ｒ（ｍｍ）、各レンズの中心厚および各レンズ間の空気間隔（以下、これらを総称して軸上面間隔という）Ｄ（ｍｍ）、各レンズのｅ線における、屈折率Ｎおよびアッベ数νの値を表１１に示す。なお、第１群から第５群におけるレンズ構成は上記実施例１のものと同じである。
なお表中の数字は物体側からの順番を表すものである。
【００４４】
【表１１】
0003862117.tif 000012
【００４５】
この比較例のものでは、ＥＸＴ群における正の屈折力を有する単レンズであるL22、L23のアッベ数がそれぞれ７０．２に設定されており、上記条件式（３）を満足していない。下記表１２に実施例１および比較例におけるレンズL22、L23のアッベ数を示す。
【００４６】
【表１２】
0003862117.tif 000013
【００４７】
このように実施例１のものでは色収差を抑制するためにアッベ数の条件式を満足させており、ＥＸＴ群による色収差の発生を抑制することができ、これによりＥＸＴ群が挿入された場合と挿入されない場合との色収差の変動を抑制することが可能となる。
【００４８】
これに対して比較例のものでは、アッベ数の条件式を満足していないため、上記実施例１の如く色収差を抑制する効果は小さい。
このことは、図６に示す如き、３波長についての球面収差図において顕著であり、比較例における各波長についての収差図のずれ量よりも実施例１における各波長についての収差図のずれ量は大幅に小さな値となっており、実施例１において色収差が良好に補正されていることが明らかである。なお、実施例２および実施例３においても同様に色収差が補正されている。
ただし、この比較例のものにおいても、上記レンズL25、L27の作用による焦点位置の移動を抑制する効果は実施例と同様である。
【００４９】
下記表１３に示すように、条件式（３）を満足する実施例１のものとこれらのレンズL22、L23の屈折率の温度係数を比較すると、実施例１のものでは-6.2×10-6/℃と負の値が大きいものとなっているのに対し、比較例のものでは-0.6×10-6/℃と負の値が小さいものとなっているが、レンズL25、L27の屈折率の温度係数は実施例１のものと同じである。
【００５０】
また、下記表１３は本比較例について、広角端における２倍時（ＥＸＴ群が挿入された場合）の温度変化による焦点位置移動量を示すものである。この表１３によれば、レンズL22、L23の屈折率の温度係数が実施例１よりも小さいため、屈折率の温度係数の焦点位置移動におよぼす影響が小さくなり、広角端における２倍時（ＥＸＴ群が挿入された場合）の温度変化による焦点位置移動量が小さくなることが示されている。
【００５１】
【表１３】
0003862117.tif 000014
【００５２】
なお、本発明の温度変化補正機能付ズームレンズとしては、上記実施形態のものに限られるものではなく、その他の種々の態様の変更が可能である。例えば上記実施形態のものでは、ＥＸＴ前群に１つの負レンズを、ＥＸＴ後群に１つの正レンズをそれぞれ設けているが、ＥＸＴ前群に２つ以上の負レンズを設けるようにしてもよいし、ＥＸＴ後群に２つ以上の正レンズを設けるようにしてもよい。また、この場合においてこれらのレンズは貼り合わせレンズを構成することは要件とされない。
【００５３】
さらに、ＥＸＴ前群における正の単レンズについてこのアッベ数が規定される場合においても、ＥＸＴ前群中にこの単レンズを１つもしくは３つ以上設けることが可能である。
さらに、ＥＸＴ群の焦点距離変換倍率は２倍のものに限られるものではなく、その他の種々の変換倍率のものを選択し得る。
【００５４】
【発明の効果】
本発明の温度変化補正機能付きズームレンズによれば、ＥＸＴ群中における所定の２種のレンズについて、硝材の屈折率の温度係数を各々所定の範囲に設定して、これら２種のレンズによる温度変化に伴う焦点位置の移動量が互いに相殺されるようにしているから、ＥＸＴ群が挿入されない場合のレンズ系とＥＸＴ群が挿入された場合のレンズ系との、温度変化による焦点位置の移動量の差を抑制することができる。
さらに、ＥＸＴ群中における所定のレンズについてのアッベ数を所定の範囲に設定すれば、ＥＸＴ群中で発生する色収差を容易に抑制することができ好ましい。
【図面の簡単な説明】
【図１】本発明の実施形態に係るＥＸＴ群を含まないレンズ系を示すレンズ構成図
【図２】図１のレンズ系の一部を拡大して示すレンズ構成図
【図３】図１のレンズ系の一部を拡大して示すレンズ構成図
【図４】本発明の実施形態に係るＥＸＴ群を含むレンズ系を示すレンズ構成図
【図５】図４のレンズ系の一部を拡大して示すレンズ構成図
【図６】  実施例１と比較例のレンズの３つの波長における球面収差を示す収差図
【図７】ＥＸＴ群を含む場合の、温度変化による焦点位置移動を説明するためのグラフ
【符号の説明】
Ｌ１〜Ｌ２７    レンズ
Ｒ１〜Ｒ５１    曲率半径
Ｄ１〜Ｄ５０    軸上面間隔
１              結像面
２              絞り
【図１】
0003862117.tif 000015
【図２】
0003862117.tif 000016
【図３】
0003862117.tif 000017
【図４】
0003862117.tif 000018
【図５】
0003862117.tif 000019
【図６】
0003862117.tif 000020
【図７】
0003862117.tif 000021